(57)【要約】【課題】進入の検知動作及び検知後動作の条件設定に対して柔軟性が高く、処理負荷を軽減し、かつ処理時間を削減可能な進入検知システム及び方法を提供する。【解決手段】ＲＦＩＤタグ１は、通知先、タグ所持者通常行動領域のＩＤ（通常行動領域ＩＤ）、進入検知時のＲＦＩＤ受信機動作内容、ＲＦＩＤ受信機動作実行条件を記憶する。ＲＦＩＤタグ１を所持している児童２がＲＦＩＤ受信機３の受信領域に進入すると、ＲＦＩＤタグ１は、前記記憶している情報をＲＦＩＤ受信機３に送信する。ＲＦＩＤ受信機３は、ＲＦＩＤタグ１から受信したＲＦＩＤ受信機動作実行条件を判断し、判断結果が真である場合に、進入検知時のＲＦＩＤ受信機動作を実施する。すなわち、ＲＦＩＤ受信機３は、カメラ撮影の指示を全方向カメラ４に送信し、全方向カメラ４に、タグ所持者である児童２を撮影させる。【選択図】図４
2007122435.tif 000002
【特許請求の範囲】
【請求項１】
情報を記憶するＲＦＩＤタグと、該ＲＦＩＤタグから前記情報を読み出して受信するＲＦＩＤ受信機とを備え、
該ＲＦＩＤ受信機が設置された領域であって、ＲＦＩＤタグを装着した移動体の進入により、ＲＦＩＤ受信機とＲＦＩＤタグとの間で通信が行われる領域を監視領域とした場合に、
前記ＲＦＩＤ受信機が、移動体の監視領域への進入をネットワークを介して通知先へ通知する進入通知システムにおいて、
ＲＦＩＤタグが、
前記移動体の進入時における動作内容、該動作内容を実行するための条件、及び、該動作内容実行条件を判断するためのデータを記憶する記憶部を備え、
ＲＦＩＤ受信機が、
前記移動体の進入時に、ＲＦＩＤタグから前記動作内容、動作内容実行条件、及び判断データを読み出して受信する受信部と、
該受信部により受信された判断データを用いて動作内容実行条件を判断する判断部と、
該判断部により判断された結果に応じて、前記動作内容を実行する実行部と、
を備えたことを特徴とする進入通知システム。
【請求項２】
請求項１に記載の進入通知システムにおいて、
前記ＲＦＩＤ受信機が、監視領域へ進入した移動体を撮影する撮影部を備え、
前記動作内容は、移動体の静止画または動画を撮影部に撮影させて該静止画または動画を通知することを含み、前記動作内容実行条件は、静止画及び動画のうちのいずれか一方の撮影を決定するための条件を含み、前記判断データは、静止画を撮影するための条件を判断するデータ及び動画を撮影するための条件を判断するデータを含むことを特徴とする進入通知システム。
【請求項３】
請求項１または２に記載の進入通知システムにおいて、
前記ＲＦＩＤタグが、当該ＲＦＩＤタグまたは周辺の状態を示す観測情報を収集する収集装置を備え、
前記判断データは、収集装置により収集される観測情報を含むことを特徴とする進入通知システム。
【請求項４】
請求項１から３までのいずれか一項に記載の進入通知システムにおいて、
前記判断データは、移動体が通常行動する領域を示す通常行動領域ＩＤを含み、
前記ＲＦＩＤ受信機の判断部が、前記動作内容実行条件に従って、該ＲＦＩＤ受信機が設置された監視領域の領域ＩＤと前記判断データの通常行動領域ＩＤとを比較し、移動体の進入許可領域と進入未許可領域とを区別することを特徴とする進入通知システム。
【請求項５】
請求項４に記載の進入通知システムにおいて、
前記監視領域には、少なくとも一つのＲＦＩＤ受信機が設置され、該ＲＦＩＤ受信機は、該監視領域の領域ＩＤを記憶し、
前記通常行動領域ＩＤは、複数のＲＦＩＤ受信機が記憶する領域ＩＤのうちの少なくとも一つの領域ＩＤとすることを特徴とする進入通知システム。
【請求項６】
請求項１から５までのいずれか一項に記載の進入通知システムにおいて、
前記判断データは、時刻情報、及び前記ＲＦＩＤタグに備えた収集装置により収集された観測情報を含み、
前記動作内容実行条件は、前記時刻情報及び観測情報を用いた条件を含むことを特徴とする進入通知システム。
【請求項７】
請求項１から６までのいずれか一項に記載の進入通知システムにおいて、
ＲＦＩＤ受信機が、観測情報を収集する収集装置を備え、
前記判断部は、受信部により受信された判断データ、及び前記収集装置により収集された観測情報を用いて、動作内容実行条件を判断することを特徴とする進入通知システム。
【請求項８】
請求項１から７までのいずれか一項に記載の進入通知システムにおいて、
さらに、前記ネットワークを介して接続されるサーバーを備え、
該サーバーが、
前記動作内容、動作内容実行条件及び判断データを生成する生成部と、
該生成された動作内容、動作内容実行条件及び判断データを前記ＲＦＩＤタグへ送信する送信部とを備えたことを特徴とする進入通知システム。
【請求項９】
情報を記憶するＲＦＩＤタグと、該ＲＦＩＤタグから前記情報を読み出して受信するＲＦＩＤ受信機とを備え、
該ＲＦＩＤ受信機が設置された領域であって、ＲＦＩＤタグを装着した移動体の進入により、ＲＦＩＤ受信機とＲＦＩＤタグとの間で通信が行われる領域を監視領域とした場合に、
前記ＲＦＩＤ受信機が、移動体の監視領域への進入をネットワークを介して通知先の設備へ通知する進入通知方法において、
ＲＦＩＤタグが、前記移動体の進入時における動作内容、該動作内容を実行するための条件、及び、該動作内容実行条件を判断するためのデータを記憶し、
ＲＦＩＤ受信機が、前記移動体の進入時に、ＲＦＩＤタグから、前記動作内容、動作内容実行条件、及び判断データを読み出して受信し、
該判断データを用いて動作内容実行条件を判断し、
該判断結果に応じて前記動作内容を実行する、
ことを特徴とする進入通知方法。
【発明の詳細な説明】
【技術分野】
【０００１】
本発明は、ＲＦＩＤ（Radio Frequency Identification）タグを用いた進入通知技術に関する。
【背景技術】
【０００２】
従来、ＲＦＩＤタグを用いて進入者を検知する方法には、進入の可能性がある対象者にＲＦＩＤタグを携帯させ、ＲＦＩＤ受信機の受信領域にその対象者が入ったことを検知し、その進入を認識するものがある。例えば、非特許文献１の無線タグ位置情報を利用した映像システムは、ＲＦＩＤタグを識別したい撮影対象に付与し、ＲＦＩＤ受信機における受信状況に応じて、その対象が撮影されているカメラ映像を選択し、ネットワーク経由で映像を閲覧するものである。この映像システムでは、進入を検知したい領域にカメラ及びＲＦＩＤ受信機を設置することにより、進入を認識することが可能である。
【０００３】
また、特許文献１のマンション等の施設に設けられる侵入者検知装置は、マンションの住人に“住人用タグ”を携帯させ、来客がインターホンにより来訪を知らせると、住人による内部からの操作によりタグ発行機がタグを発行し、来客にそのタグを携帯させる。ホストコンピュータは、認識装置及びＲＦＩＤ受信機により、自動ドアの近くにいる住人及び来客を確認すると、自動ドアを開ける。また、ホストコンピュータは、マンション内部の通路等に設置された認識装置及びＲＦＩＤ受信機により、マンション内部を移動している人が住人であるかまたは来客であるかを認識する。この場合、認識装置が人の存在を確認できているのに対し、ＲＦＩＤ受信機がタグＩＤからデータを読み取ることができない場合には、その人は侵入者であるとみなし、警報を住人や警備員等に知らせる。
【０００４】
また、特許文献２のＲＦＩＤタグを用いた駐車場管理システムは、車両が駐車場内に進入したときに、当該進入車両に取り付けられたＲＦＩＤタグから個別識別情報を読み込み、この読み込んだ個別識別情報と予め用意された利用者データベースの利用者管理情報とに基づいて当該車両の正当性を判定する。そして、進入車両が正当な車両ではないものと判定した場合に、当該進入車両に対し無許可駐車対策処理を実行する。
【０００５】
また、特許文献３のＲＦＩＤタグを用いた撮影システムは、パーティー会場等で用いられる自動撮影装置であり、撮影される側にＲＦＩＤタグを携行させ、ＲＦＩＤ受信機を有する撮影装置に、撮影される側の撮影希望有無及びタグＩＤを登録し、撮影装置の画角及びＲＦＩＤ受信機による対象の検知領域を一致させておく。撮影対象が撮影画角へ進入したときに、ＲＦＩＤ受信機がそれを検知する。そして、タグＩＤをキーとして撮影装置の事前登録情報を検索し、撮影希望有無を判断し、撮影希望が有りの場合に撮影を実行する。
【０００６】
また、特許文献４のＲＦＩＤタグを用いたセキュリティシステムは、監視領域への入場制限制御をＲＦＩＤタグ及びＲＦＩＤ受信機のみで実現することにより、ＲＦＩＤ受信機をつなぐネットワークを不要とし、そのコストを削減することを目的としたものである。具体的には、ＲＦＩＤタグは、ＲＦＩＤ受信機が保有する入場制限手段の入場制限を解除するための有効期限を示す有効期限情報と共に、問合せコマンドに応答するか否かを決定するための応答判定情報を当該ＲＦＩＤタグ自体の記憶装置に記憶する。ＲＦＩＤタグは、記憶装置に記憶された前記応答判定情報において応答する設定となっているときに、問合せコマンドを受信した場合、有効期限情報を送信する。また、記憶装置に記憶された応答判定情報が応答する設定となっているときに、応答判定情報を無応答に設定する無応答コマンドを受信した場合、問合せコマンドによる問合せに応答しない設定に変更する。ＲＦＩＤ受信機は、ＲＦＩＤタグから有効期限情報を取得すると、ＲＦＩＤ受信機自体が日付情報を生成し、その日付情報の日付が、取得した有効期限情報の有効期限を経過しているか否かを判断し、日付が有効期限を経過していないと判断した場合に入場制限手段による入場制限を解除し、日付が有効期限を経過していると判断した場合にＲＦＩＤタグの応答判定情報を無応答に設定する無応答コマンドを送信する。
【０００７】
【非特許文献１】“無線タグ位置情報を利用した映像システム”、ＮＴＴ技術ジャーナル、２００３年、Ｖｏｌ．１５、Ｎｏ．８、ｐ３４−３６
【特許文献１】特開平９−２７００１１号公報
【特許文献２】特開２００５−１４１４８２号公報
【特許文献３】特開２００５−１０２４４号公報
【特許文献４】特開２００５−７８５１１号公報
【発明の開示】
【発明が解決しようとする課題】
【０００８】
上述のように、従来の進入検知方式は、監視領域または保護すべき領域への物体の進入を検知することが主であるが、物体そのものが保護すべき対象であり、その物体が例えば危険な領域に進入したことを検知し通知する仕組みも必要である。このような進入検知方式では、進入という事象が発生してから通知するまでの時間を短くする必要がある。また、進入する物体それぞれの属性や進入の日時時間帯等の種々の条件に応じて動作する必要もある。
【０００９】
前述の非特許文献１の方式では、進入を検知したい監視領域をＲＦＩＤタグ受信領域と同一にし、ＲＦＩＤタグのＩＤを受信機で受信することにより、監視領域にＲＦＩＤタグを携帯した利用者が進入したことを認識する。この方式では、進入検知動作及び検知後の動作に対して、進入する物体そのものの属性や種別、進入日時等の種々の条件を設定することは考慮されておらず、検知動作及び検知後の動作の条件設定について柔軟性が低いという問題がある。
【００１０】
また、特許文献１及び２の方式では、ＲＦＩＤタグの受信とは別の手段で進入を検知し、それが正当であるか否かをホストコンピュータが識別しているため、進入検知動作及び検知後の動作に対して、進入する物体そのものの属性や種別、進入日時等の条件を設定することが可能である。しかし、物体そのものが保護すべき対象であり、その物体が危険な領域に進入したことを検知し通知することへの適用を考えると、この方式では、保護すべき物体が危険領域に進入してから、ホストコンピュータにおいて判断がなされるまでのタイムラグが生じてしまい、通知の遅れを招いてしまうという問題がある。
【００１１】
また、特許文献３の方式は、進入の検知及び動作判断をＲＦＩＤ受信機で実施させる場合、進入判断処理の時点で保護すべき対象それぞれに合わせた条件を、ＲＦＩＤ受信機に保持させる必要がある。しかし、対象とするＲＦＩＤタグの数やＲＦＩＤ受信機の数が多くなるほど、全てのＲＦＩＤタグに関する条件をＲＦＩＤ受信機に記憶させておくことは現実的に困難である。さらに、条件データの追加更新の際には、全てのＲＦＩＤ受信機に対して処理が必要となり、膨大なコストが発生する。また、保護すべき対象それぞれに合わせた条件をホストコンピュータに保有させ、進入判断処理の時点でＲＦＩＤ受信機から「動作内容」「動作内容実行条件」を問合せる場合、ＲＦＩＤ受信機において、その問合せ通信処理の負荷や時間が必要になると共に、ホストコンピュータにおいて、「ＲＦＩＤ受信機動作実行条件」「ＲＦＩＤ受信機動作内容検索」に伴う処理負荷や処理時間も必要になる、という問題がある。
【００１２】
また、特許文献４の方式は、進入の検知及び動作判断を、ＲＦＩＤ受信機が、ＲＦＩＤタグに記憶された情報に基づいて実施するようにしたから、進入判断からその後の動作までの間、時間遅れなく処理することができる。しかし、この方式を実現するシステムは、入場制限の動作制御に特化したものであり、個々のタグに合わせて多様な条件を設定することは困難である、という問題がある。
【００１３】
そこで、本発明は、かかる課題を解決するためになされたものであり、その目的は、進入の検知動作及び検知後動作の条件設定に対して柔軟性が高く、処理負荷を軽減し、かつ処理時間を削減可能な進入検知システム及び方法を提供することにある。
【課題を解決するための手段】
【００１４】
本発明では、まず危険領域等の進入を検知したい領域（監視領域）の周囲に、ＲＦＩＤ受信機を設置する。検知対象となる移動体には、当該移動体がその領域に進入した際にＲＦＩＤ受信機に動作させたい内容（動作内容）と、進入を検知したい領域に進入したと判断するための条件（動作内容実行条件）と、当該条件を判断するために必要なデータ（判断データ）とを記憶させたＲＦＩＤタグを携帯または装着しておく。移動体が監視領域に接近し進入した場合には、ＲＦＩＤタグは、ＲＦＩＤ受信機が発する電波を受信する。そして、ＲＦＩＤ受信機は、ＲＦＩＤタグから、前記動作内容、動作内容実行条件、及び判断データを受信し、当該判断データを用いて動作内容実行条件を判断し、当該判断結果が真の場合に動作内容を実行する。
【００１５】
また、前記監視領域を、移動体にとって当該領域に進入することが危険である進入未許可の領域（進入未許可領域）と、危険ではない進入許可の領域（進入許可領域）とに区別する。この場合、ＲＦＩＤタグは、動作内容実行条件を判断するための判断データとして、その移動体が通常行動する領域のＩＤ（通常行動領域ＩＤ）を記憶している。ＲＦＩＤ受信機は、当該ＲＦＩＤ受信機が設置された監視領域の領域ＩＤと、ＲＦＩＤタグから受信した通常行動領域ＩＤとを比較し、移動体が進入未許可領域に進入したのか、進入許可領域に進入したのかについて、動作内容実行条件として判断する。
【発明の効果】
【００１６】
以上により、本発明によれば、移動体が監視領域に進入した場合に、ＲＦＩＤ受信機が、移動体の属性や進入の日時時間帯等の種々の条件に応じて柔軟に対応し、移動体それぞれに合わせた動作を実行するように、動作内容、動作内容実行条件及びその判断データを設定することができる。また、保護すべき移動体が監視領域に進入した時点で、ＲＦＩＤ受信機が、その動作内容実行条件を判断するため、進入時点から条件判断及び対処までのタイムラグを小さくすることができる。さらに、ＲＦＩＤ受信機は、ホストコンピュータへ、動作内容、動作内容実行条件、及び判断データを問い合わせる必要がなく、ホストコンピュータにおいて、動作内容実行条件の判断や、動作内容実行条件及び動作内容を検索する必要もないため、ＲＦＩＤタグにＩＤのみを記憶させた場合に比べ、それらの処理負荷が軽減できると共に、処理時間も削減できるというメリットがある。
【００１７】
一方、ＲＦＩＤ受信機は、保護すべき移動体が監視領域に進入した時点で、動作内容実行条件を判断するから、移動体が人間の場合、個人のプライバシーに関連する情報がネットワークに流れることがなく、個人情報漏洩の危険度を抑制できるというメリットがある。
【００１８】
また、ＲＦＩＤタグは、動作内容、動作内容実行条件、及び判断データを記憶しており、ＲＦＩＤ受信機は、これらの情報を記憶する必要がないから、ＲＦＩＤ受信機において、記憶容量を小さくできるというメリットがある。このため、他の目的で利用されるＲＦＩＤ受信機を共用できる可能性が高くなり、ＲＦＩＤ受信機の設置コストを低減できるメリットがある。
【発明を実施するための最良の形態】
【００１９】
以下、本発明の実施の形態について図面を参照して詳細に説明する。本実施の形態は、通学路上において児童の保護を目的とするものである。図１は、本発明の一実施形態による進入通知システムの構成を示す図である。本進入通知システムは、児童２が携帯するＲＦＩＤタグ１、当該ＲＦＩＤタグ１との間で情報の送受信を行うＲＦＩＤ受信機３、監視領域の映像を撮影する全方向カメラ４、ＲＦＩＤ受信機３及び全方向カメラ４と通知先機器７とサービスサーバー６とを接続するネットワーク５、進入検知に関する一連の情報を管理するサービスサーバー６、及び、進入検知に関する情報が通知される通知先機器７を備えている。本システムは、通学時の児童２が、ＲＦＩＤ受信機３により児童２の進入を監視する領域（監視領域）であって、例えば危険な領域（進入未許可領域）に進入した場合に、ＲＦＩＤ受信機３がＲＦＩＤタグ１に記憶された情報を読み出して進入を検知し、全方向カメラ４が危険な領域に進入した児童２の状況を撮影し、その撮影した映像や写真等を含み、児童が危険な領域に進入したことを知らせるための電子メールを、サービスサーバー６や、保護者または学校等が保持する通知先機器７宛に送信する。
【００２０】
図２は、図１に示したＲＦＩＤ受信機３の受信領域を示すイメージ図である。図２において、点線で囲まれた領域がＲＦＩＤ受信機３の受信領域である。この受信領域である監視領域（進入検知対象領域）には、１つ以上のＲＦＩＤ受信機３及び全方向カメラ４が設置され、各ＲＦＩＤ受信機３には、１つの領域ＩＤが設定される。具体的に、「建築資材置き場」の進入検知対象領域には、領域ＩＤとして「ｊｉｋ７８９」が設定されたＲＦＩＤ受信機３−１〜３及び全方向カメラ４−１〜３、「光丘図書館前交差点」の進入検知対象領域には、領域ＩＤとして「ＳＺ１４１３７」が設定されたＲＦＩＤ受信機３−４〜７及び全方向カメラ４−４〜７、「桜通り入口交差点」の進入検知対象領域には、領域ＩＤとして「ＳＺ１４１３９」が設定されたＲＦＩＤ受信機３−８〜１１及び全方向カメラ４−８〜１１、「消防署前」の進入検知対象領域には、領域ＩＤとして「ＳＺ１４１３８」が設定されたＲＦＩＤ受信機３−１２〜１４及び全方向カメラ４−１２〜１４がそれぞれ設置されている。
【００２１】
図３−１及び図３−２は、図１に示した進入通知システムを図２に示した進入検知対象領域に適用した場合における、通知サービスの処理を示すフローチャート図である。まず、サービスサーバー６は、図示しない端末装置を用いた利用者の操作により、実際にＲＦＩＤ受信機３が設置された進入検知対象領域を設定し、当該進入検知対象領域を管理するための領域ＩＤ管理表を作成し、メモリに登録する（ステップＳ３１０１）。表１は、領域ＩＤ管理表である。この領域ＩＤ管理表は、「領域ＩＤ」及び「領域名称」から構成され、図２に示した「領域ＩＤ」及び「領域名称」がメモリに登録されている。
【００２２】
また、サービスサーバー６は、利用者の操作により、「タグＩＤ」「利用者名」「タグ所持者名（＝児童の名前）」「通知先（＝タグ所持者からみた利用者との関係）」「通知先電子メールアドレス」「タグ所持者通常行動領域」「進入検知時のＲＦＩＤ受信機動作内容」「ＲＦＩＤ受信機動作実行条件」をそれぞれメモリに登録する（ステップＳ３１０２，３１０３）。ここで、「タグ所持者通常行動領域」は、領域ＩＤ管理表により管理されている領域の中から、利用者が、児童が通常行動する領域として選択した領域である。
【００２３】
サービスサーバー６は、これらの情報に基づいて、利用者兼通知先管理表及びタグ所持者管理表を作成し、メモリに登録する。表２は、利用者兼通知先管理表である。この利用者兼通知先管理表は、「タグＩＤ」「通知先」「通知先電子メールアドレス」「利用者名」から構成され、これらの情報がメモリに登録されている。また、表３は、タグ所持者管理表である。このタグ所持者管理表は、「タグＩＤ」「所持者名」から構成され、これらの情報がメモリに登録されている。これら表１〜３に示した管理表は、ＲＦＩＤタグ１へ所定の情報を書き込む際、「タグＩＤ」から「所持者名」への変換、及び「通知先」から「通知先電子メールアドレス」への変換等のために使用される（ステップＳ３１０４）。
【００２４】
サービスサーバー６は、利用者の操作によりＲＦＩＤタグ１への書き込み指示を入力すると、所定のデータ変換処理を行い（ステップＳ３１０４）、ＲＦＩＤタグ１に対し、「通知先」「タグ所持者通常行動領域のＩＤ（通常行動領域ＩＤ）」「進入検知時のＲＦＩＤ受信機動作内容」「ＲＦＩＤ受信機動作実行条件」を書き込み、タグ所持者にＲＦＩＤタグ１を貸出す（ステップＳ３１０５）。ここで、図３−１及び図３−２において、ＲＦＩＤ受信機動作条件（動作内容実行条件）のうちの「受信領域ＩＤ」は、ＲＦＩＤタグ１から情報を受信するＲＦＩＤ受信機３に事前に設定され記憶されている情報である。また、「ＲＦＩＤ受信機動作実行条件」には、当該動作実行条件を判断するために必要なデータ（判断データ）も含まれる。判断データとは、例えば、ＲＦＩＤ受信機３の動作時刻、後述する通常行動領域ＩＤである。
【００２５】
一方、タグ所持者である児童２がＲＦＩＤ受信機３の監視領域に進入すると、ＲＦＩＤタグ１は、常時電波を発信しているＲＦＩＤ受信機３からその電波を受信する（ステップＳ３２０１）。ＲＦＩＤタグは、「通知先」「通常行動領域ＩＤ」「進入検知時のＲＦＩＤ受信機動作内容」「ＲＦＩＤ受信機動作実行条件」を「タグＩＤ」と共にＲＦＩＤ受信機３に送信する（ステップＳ３２０２）。ＲＦＩＤ受信機３は、ＲＦＩＤタグ１から受信した「ＲＦＩＤ受信機動作実行条件」を判断し（ステップＳ３２０３，３２０４）、判断結果が真である場合に、「進入検知時のＲＦＩＤ受信機動作」を実施する。すなわち、ＲＦＩＤ受信機３は、カメラ撮影の指示を全方向カメラ４に送信し、全方向カメラ４に、タグ所持者である児童２を撮影させる。そして、ＲＦＩＤ受信機３は、その「撮影データ」と共に「タグＩＤ」「受信領域ＩＤ」「通知先」「撮影日時」をネットワーク５を経由してサービスサーバー６へ送信する（ステップＳ３２０５）。「ＲＦＩＤ受信機動作実行条件」の判断結果が偽である場合、撮影も送信も行わない。
【００２６】
サービスサーバー６は、ＲＦＩＤ受信機３から受信した送信先情報である「タグＩＤ」を、メモリに登録された利用者兼通知先管理表（表２）の「通知先（タグ所持者からみた利用者との間の関係）」に基づいて、「利用者名」「通知先電子メールアドレス」に変換する（ステップＳ３２０６）。また、タグ所持者管理表（表３）を参照して「タグＩＤ」から「タグ所持者名（所持者名）」への変換を行い、領域ＩＤ管理表（表１）を参照して「受信領域ＩＤ（領域ＩＤ）」から「領域名称」への変換を行う（ステップＳ３２０７）。そして、サービスサーバー６は、メールサーバー機能により、通知先７の「通知先電子メールアドレス」宛に、「撮影データ」「タグ所持者名（所持者名）」「撮影場所（領域名称）」「撮影日時」を送信する（ステップＳ３２０８，３２０９）。
【００２７】
次に、ＲＦＩＤ受信機３の動作について説明する。図４は、図１に示した進入通知システムにおけるＲＦＩＤ受信機３の機能を示すブロック図である。本ＲＦＩＤ受信機３は、メッセージ受信部８、メッセージ解釈部９、判断部１０、撮影部１２、記憶部１３、及びメッセージ送信部１４を備え、時計部１１も内蔵している。メッセージ受信部８は、「タグＩＤ」「通常行動領域ＩＤ」「ＲＦＩＤ受信機動作実行条件」「進入検知時のＲＦＩＤ受信機動作内容」「通知先」等のメッセージをＲＦＩＤタグ１から受信し、当該メッセージをメッセージ解釈部９に渡す。
【００２８】
メッセージ解釈部９は、メッセージ受信部８から受け取ったメッセージを、「タグＩＤ」「通常行動領域ＩＤ」「ＲＦＩＤ受信機動作実行条件」「進入検知時のＲＦＩＤ受信機動作内容」「通知先」等に分解し、判断部１０に渡す。判断部１０は、記憶部１３から「受信領域ＩＤ」等の必要な情報を取得し、時計部１１から時刻情報を取得し、それらの情報とメッセージ解釈部９から受け取った「通常行動領域ＩＤ」等の情報とに基づいて、「ＲＦＩＤ受信機動作実行条件」を判断する。判断結果が真である場合（例えば、「受信領域ＩＤ」と「通常行動領域ＩＤ」とが異なる場合、すなわち、「受信領域ＩＤ」が示す領域が進入未許可領域である場合、及び、ＲＦＩＤ受信機３が動作可能な時刻である場合）は、「タグＩＤ」「受信領域ＩＤ」を撮影部１２に渡す。判断結果が偽である場合は、後述する撮影も送信も行わない。
【００２９】
撮影部１２は、判断部１０から「タグＩＤ」「受信領域ＩＤ」を受け取ると、撮影を実行し、「撮影データ」「タグＩＤ」「受信領域ＩＤ」「撮影日時」「通知先」をメッセージ送信部１４に渡す。メッセージ送信部１４は、撮影部１２から受け取った「タグＩＤ」「受信領域ＩＤ」「撮影日時」「撮影データ」「通知先」をサービスサーバー６へ送信する。この場合、メッセージ送信部１４は、記憶部１３からサービスサーバー６のアドレスを取得する。記憶部１３には、「受信領域ＩＤ」「サービスサーバー６のアドレス」等、ＲＦＩＤ受信機３の基本動作（送受信、撮影等）に関する情報が記憶されている。
【００３０】
図５は、図４に示したＲＦＩＤ受信機３の処理を示すフローチャート図である。以下、通常行動領域が複数にまたがる場合を例として、ＲＦＩＤ受信機３の処理について説明する。まず、ＲＦＩＤ受信機３は、ＲＦＩＤタグ１から受信したメッセージを、「タグＩＤ」「通常行動領域ＩＤ」「ＲＦＩＤ受信機動作実行条件」「ＲＦＩＤ受信機動作内容」「通知先に分解した後（ステップＳ５００１）、「ＲＦＩＤ受信機動作実行条件」を解釈する（ステップＳ５００２）。
【００３１】
また、ＲＦＩＤ受信機３は、現在時刻を受信機内蔵時計部１１から取得し（ステップＳ５００３）、その時刻が「ＲＦＩＤ受信機動作実行条件」における動作実行時間帯の範囲内であるか否かを判断し（ステップＳ５００４）、範囲外である場合は、後述の処理を行わないで判断処理を終了する（ステップＳ５００５）。取得した時刻が動作実行時間帯の範囲内である場合は、「ＲＦＩＤ受信機動作実行条件」の判断において使用するために、「受信領域ＩＤ」を記憶部１３から取得する（ステップＳ５００６）。
【００３２】
そして、ＲＦＩＤ受信機３は、「ＲＦＩＤ受信機動作実行条件」において、「受信領域ＩＤ≠通常行動領域ＩＤ」であることを判断する（ステップＳ５００７）。判断結果が偽である場合、すなわち、「受信領域ＩＤ＝通常行動領域ＩＤ」である場合は、後述する処理を行わないで判断処理を終了する（ステップＳ５００８）。判断結果が真である場合は、比較すべき「通常行動領域ＩＤ」が他にあるか否かを確認する（ステップＳ５００９）。このように、「ＲＦＩＤ受信機動作実行条件」の判断を、比較すべき「通常行動領域ＩＤ」が無くなるまで繰り返す。
【００３３】
そして、ＲＦＩＤ受信機３は、比較すべき「通常行動領域ＩＤ」が無くなった場合、すなわち、全ての条件について真となった場合、全方向カメラ４に撮影を実行させ（ステップＳ５０１０）、「撮影データ」「撮影日時」「タグＩＤ」「受信領域ＩＤ」「通知先」をサービスサーバー６へ送信する（ステップＳ５０１１）。
【００３４】
表４は、タグ内事前記憶情報兼ＲＦＩＤ受信機受信テーブルの例である。このタグ内事前記憶情報兼ＲＦＩＤ受信機受信テーブルは、「タグＩＤ」「送信先」「通常行動領域ＩＤ」「ＲＦＩＤ受信機動作実行条件」「ＲＦＩＤ受信機動作内容」の項目及びその内容から構成されている。この表４のように、図３−１のステップ３１０５において、サービスサーバー６は、ＲＦＩＤタグ１に対し、複数の「ＲＦＩＤ受信機動作実行条件」「ＲＦＩＤ受信機動作内容」を設定して書き込むようにしてもよい。この場合、図３−２のステップ３２０４及び図５のステップ５００２，５０１０において、ＲＦＩＤ受信機３は、この順に動作実行条件を判断し、対応する動作内容を実行する。また、「通常行動領域ＩＤ」には複数のＩＤを設定して書き込むようにしてもよい。
【００３５】
表５は、図１及び図２に示したＲＦＩＤ受信機３及び全方向カメラ４が一体化した場合における、カメラ付ＲＦＩＤ受信機内事前記憶情報の例である。このカメラ付ＲＦＩＤ受信機内事前記憶情報は、「領域ＩＤ」「転送依頼先ホスト」「データ種別」の項目及びその内容から構成されている。「転送依頼先ホスト」として、前述したサービスサーバー６のホスト名またはＩＰアドレスがメモリに記憶される。また、「データ種別」として、静止画の他、ＲＦＩＤ受信機３に搭載される装置によっては動画像、音声等が記憶される。
【００３６】
尚、ＲＦＩＤ受信機３は、ＣＰＵ、ＲＡＭ等の揮発性の記憶媒体、ＲＯＭ等の不揮発性の記憶媒体、及び外部の装置と通信をするためのインタフェースを備えたコンピュータによって構成されるようにしてもよい。また、サービスサーバー６は、ＣＰＵ、ＲＡＭ等の揮発性の記憶媒体、ＲＯＭ等の不揮発性の記憶媒体、キーボードやポインティングデバイス等の入力装置、画像やデータを表示するモニタ装置、及び外部の装置と通信をするためのインタフェースを備えたコンピュータによって構成されるようにしてもよい。この場合、ＲＦＩＤ受信機３に備えたメッセージ受信部８、メッセージ解釈部９、判断部１０、時計部１１、撮影部１２及びメッセージ送信部１４、並びに、サービスサーバー６に備えた各処理を実行する手段の各機能は、これらの機能を記述したプログラムをＣＰＵに実行させることによりそれぞれ実現される。また、これらのプログラムは、磁気ディスク（フロッピィーディスク、ハードディスク等）、光ディスク（ＣＤ−ＲＯＭ、ＤＶＤ等）、半導体メモリ等の記憶媒体に格納して頒布することもできる。
【００３７】
また、図３−２に示したステップ３２０２において、ＲＦＩＤタグ１は、タグ所持者である児童２がＲＦＩＤ受信機３の監視領域に進入すると、「通知先」「通常行動領域ＩＤ」「進入検知時のＲＦＩＤ受信機動作内容」「ＲＦＩＤ受信機動作実行条件」を「タグＩＤ」と共にＲＦＩＤ受信機３に送信するようにした。この場合、「ＲＦＩＤ受信機動作実行条件」には、サービスサーバー６により設定された時刻情報等が含まれる。これに対し、ＲＦＩＤタグ１に観測情報収集手段を備え、当該観測情報収集手段が、時刻を収集したり、当該ＲＦＩＤタグ１自体の状態、及び当該ＲＦＩＤタグ１の周辺の状態を示す温度、湿度、明度、振動、傾き等の観測情報を収集したりして、ＲＦＩＤタグ１が、当該観測情報を含む「ＲＦＩＤ受信機動作実行条件」をＲＦＩＤ受信機３に送信するようにしてもよい。
【００３８】
また、図５に示したステップ５００３，５００４において、ＲＦＩＤ受信機３の判断部１０は、当該ＲＦＩＤ受信機３に内蔵した時計部１１から時刻を取得し、当該時刻を用いて「ＲＦＩＤ受信機動作実行条件」を判断するようにした。これに対し、ＲＦＩＤ受信機３に、時計部１１だけでなく他の観測情報収集手段を備え、当該観測情報収集手段が、ＲＦＩＤ受信機３自体や周辺の状態を示す温度、湿度、明度、振動、傾き等の観測情報を収集し、判断部１０が、当該観測情報を用いて「ＲＦＩＤ受信機動作実行条件」を判断するようにしてもよい。
【００３９】
また、図３−１に示したステップ３１０５において、サービスサーバー６は、ＲＦＩＤタグ１に対し、「通知先」「タグ所持者通常行動領域のＩＤ（通常行動領域ＩＤ）」「進入検知時のＲＦＩＤ受信機動作内容」「ＲＦＩＤ受信機動作実行条件」を書き込み、ＲＦＩＤタグ１は、これらの情報を記憶する。この場合、「進入検知時のＲＦＩＤ受信機動作内容」に、児童２の静止画または動画を撮影して当該画像を通知することを含み、「ＲＦＩＤ受信機動作実行条件」に、静止画及び動画のうちのいずれか一方の撮影を決定するための条件、並びに、静止画を撮影するための条件を判断するデータ及び動画を撮影するための条件を判断するデータを含むようにしてもよい。
【００４０】
【表１】
2007122435.tif 000003
【表２】
2007122435.tif 000004
【表３】
2007122435.tif 000005
【表４】
2007122435.tif 000006
【表５】
2007122435.tif 000007
【図面の簡単な説明】
【００４１】
【図１】本発明の一実施形態による進入通知システムの構成を示す図である。
【図２】本発明の一実施形態によるＲＦＩＤ受信機の受信領域を示すイメージ図である。
【図３−１】進入通知システムを進入検知通知サービスとして実現した場合の登録及び設定段階の処理を示すフローチャート図である。
【図３−２】進入通知システムを進入検知通知サービスとして実現した場合の実行段階の処理を示すフローチャート図である。
【図４】進入通知システムにおけるＲＦＩＤ受信機の機能を示すブロック図である。
【図５】進入通知システムにおけるＲＦＩＤ受信機の処理を示すフローチャート図である。
【符号の説明】
【００４２】
１  ＲＦＩＤタグ
２  児童
３  ＲＦＩＤ受信機
４  全方向カメラ
５  ネットワーク
６  サービスサーバー
７  通知先機器
８  メッセージ受信部
９  メッセージ解釈部
１０  判断部
１１  時計部
１２  撮影部
１３  記憶部
１４  メッセージ送信部
【図１】
2007122435.tif 000008
【図２】
2007122435.tif 000009
【図３−１】
2007122435.tif 000010
【図３−２】
2007122435.tif 000011
【図４】
2007122435.tif 000012
【図５】
2007122435.tif 000013